(57)【特許請求の範囲】
【請求項１】
底面の下に形成される保護コンクリート層と、前記保護コンクリート層の下に形成される防水層とを備える水槽の排水構造であって、
前記防水層の上面で止水された水に対する止水栓であって当該止水栓の止水状態を解除することによって前記防水層上に溜まった水が排出される止水栓を備える排水構造。
【請求項２】
前記保護コンクリート層と前記防水層とを貫通して下方に延びる排水路と、
前記防水層上に溜まった水が前記排水路へと流れる流路と、
を更に備える、請求項１に記載の排水構造。
【請求項３】
前記排水路は前記水槽の前記底面から下方に延びており、
前記止水栓による止水状態を解除することによって、前記水槽内の水と、前記防水層上に溜まった水とが排出される、請求項２に記載の排水構造。
【請求項４】
底面の下に形成される保護コンクリート層と、前記保護コンクリート層の下に形成される防水層とを備える水槽用の排水器具であって、
前記保護コンクリート層と前記防水層とを貫通するように配置される筒状部材と、
前記筒状部材の外面から内面にかけて貫通する水抜き穴と、
前記筒状部材内であって前記水抜き穴よりも下に配置される止水栓と、
を備える排水器具。
【請求項５】
前記止水栓を引き抜くための鎖を更に備える、請求項４に記載の排水器具。
【請求項６】
前記筒状部材の上端部に配置される化粧金物を更に備え、前記化粧金物は前記鎖の途中に連結されている、請求項５に記載の排水器具。
【発明の詳細な説明】
【技術分野】
【０００１】
本発明は、底面の下に保護コンクリート層と、更にその下の防水層とを備える水槽用の排水構造及び排水器具に関する。
【背景技術】
【０００２】
ホテルの大浴場や銭湯などの比較的大きな浴場は、表面（例えばタイル）の下に保護コンクリート層（「仕上層」などとも称される）が形成され、更にその下にアスファルト等による防水層が形成されている。
【０００３】
特許文献１はスラブを貫通して設置される床排水管に関する発明を開示する。特許文献１の第２図には、スラブコンクリート１３の上に防水層１４と仕上層１５が形成された床に設置された床排水管が図示されている。この床排水管は水抜き穴１２を有する補助管１０を備える。この水抜き穴１２に関し、特許文献１の第２頁左下欄第５〜８には「補助管１０の外周面と仕上層１５間の隙間及び仕上層１５と防水層１４間の隙間から水が浸入することがあると、その水は水抜き穴１２から補助管１０の内部に誘導され、排出される。」と記載されている。
【先行技術文献】
【特許文献】
【０００４】
【特許文献１】特開昭６３−３０８１２５号公報
【発明の概要】
【発明が解決しようとする課題】
【０００５】
上述の比較的大きな浴場において、浴槽の底面の下も上記と同様の構造を有する。すなわち、浴槽の底面の下に形成された保護コンクリート層と、更にその下に形成された防水層とを備える。
【０００６】
ところで、浴場では複数のタイプの排水器具（「排水金物」とも称される）が使用される。例えば、浴室内の洗い場には栓を有しないタイプの排水器具が使用され、他方、浴槽の底面には栓を有するタイプの排水器具が使用されている。上述の特許文献１には当該文献に記載の床排水管が洗い場用であるか、浴槽用であるか明記がされていない。特許文献１の第２頁左下欄第２〜４に「補助管１０は仕上層１５と同じ高さで切断され、その開口端に化粧金物２２が嵌着される。」と記載されているにとどまる。
【０００７】
本発明者の検討によると、特許文献１に記載の床排水管を浴槽やプール（以下、まとめて「水槽」という。）に採用した場合、以下の課題がある。すなわち、化粧金物として栓を使用し、これによって補助管１０の開口端を塞いだとしても、水抜き穴１２を通じて水槽内の水が徐々に排出され、その結果、水槽内の湯の水位が低下する。水抜き穴１２を設けている以上、徐々に水位が低下することを前提としているものの、これについての説明が不十分であれば施主が水漏れ（施工ミス）を疑うというトラブルが生じ得る。
【０００８】
他方、特許文献１の第２図に示す構成において、水抜き穴１２を形成しないという策も考え得る。しかし、水抜き穴１２がないと防水層１４上に溜まった水（仕上層１５に浸透した水）は栓（化粧金物２２）を外しても排出されず、死水としてとどまることになり、時間の経過によって水が腐り、衛生上の問題を招来する。
【０００９】
本発明は、上記問題に鑑みてなされたものであり、水槽の底面下における死水の発生を十分に抑制できて衛生的であり且つ栓をしているときに水槽内の水位が下がることを防止できる水槽用排水構造及び水槽用排水器具を提供することを目的とする。
【課題を解決するための手段】
【００１０】
本発明に係る排水構造は、底面の下に形成される保護コンクリート層と、保護コンクリート層の下に形成される防水層とを備える水槽のためのものであり、防水層の上面で止水された水に対する止水栓を備える。
【００１１】
上記排水構造は、防水層の上面で止水された水に対する止水栓を備える。この止水栓を採用したことで水位が下がることを防止できる。一方、この止水栓による止水状態を解除することで、防水層上に溜まった水を排出することができ、これにより死水の発生を十分に抑制できて衛生的である。
【００１２】
上記排水構造は、保護コンクリート層と防水層とを貫通して下方に延びる排水路と、防水層上に溜まった水が排水路へと流れる流路とを更に備えてもよい。かかる構成を採用することで、防水層上に溜まった水を上記流路と上記排水路とを通じてより一層確実に排出できる。なお、上記栓が上記流路から上記排水路に流入する水を止水するには、上記流路が上記排水路に至る位置よりも低い位置に上記栓を配置すればよい。
【００１３】
上記排水路は水槽の底面から下方に延びていればよく、この場合、上記排水構造は、上記栓による止水状態を解除することによって、水槽内の水と、防水層上に溜まった水とを排出できる構成であってもよい。かかる構成を採用することにより、排水構造を単純化できるとともに水槽内の水を排出する都度、防水層上に溜まった水を排出できる。
【００１４】
本発明に係る排水器具は、底面の下に形成される保護コンクリート層と、保護コンクリート層の下に形成される防水層とを備える水槽のためのものであり、保護コンクリート層と防水層とを貫通するように配置される筒状部材と、筒状部材の外面から内面にかけて貫通する孔と、筒状部材内であって孔よりも下に配置される栓とを備える。
【００１５】
上記排水器具は、防水層上に溜まった水を排出するための水抜き穴を備え且つこの水抜き穴からの排水を止水する栓を備える。かかる構成を採用したことにより、死水の発生を十分に抑制できて衛生的であり且つ栓をしているときに水位が下がることを防止できる。また、上記排水器具によれば、上記栓による止水状態を解除することによって、水槽内の水と、防水層上に溜まった水とを排出することができる。
【００１６】
上記排水器具は、栓を引き抜くための鎖を更に備えることが好ましい。これにより、水又は湯が溜まった水槽に作業者が入らなくても栓を外すことができる。上記水栓器具は、筒状部材の上端部に配置される化粧金物を更に備えてもよい。筒状部材の上端部を化粧金物（例えば目皿）で覆うことにより、水槽内において足が筒状部材の開口に入ることを防止できる。この化粧金物は上記鎖の途中に連結されていてもよい。これにより、鎖を引っ張ることによって栓及び化粧金物の両方を外すことができる。
【発明の効果】
【００１７】
本発明によれば、水槽の底面下における死水の発生を十分に抑制できて衛生的であり且つ栓をしているときに水槽内の水位が下がることを防止できる水槽用排水構造及び水槽用排水器具が提供される。
【図面の簡単な説明】
【００１８】
【図１】本発明に係る排水器具を使用して構築された排水構造の一例を模式的に示す断面図である。
【図２】図１に示す排水構造を備える浴槽の一例を模式的に示す断面図である。
【発明を実施するための形態】
【００１９】
図面を参照しながら、本発明の実施形態について詳細に説明する。なお、以下の説明において、同一要素又は同一機能を有する要素には同一符号を用いることとし、重複する説明は省略する。ここでは、水槽として比較的大きな浴場の浴槽を例示するが、本発明を例えばプールの排水構造に適用してもよい。
【００２０】
＜排水器具＞
図１は、本実施形態に係る排水器具１０を使用して構築された排水構造を模式的に示す断面図である。図２は、図１に示す排水構造を底面３０ａ下に備える浴槽３０を模式的に示す平面図である。上述のとおり、浴槽３０は比較的大きな浴場の浴槽であり、浴槽３０に張られる湯の量の下限値は例えば１０００Ｌ程度である。なお、浴槽の面積が５０ｍ２（例えば１０ｍ×５ｍ）であり且つ水深が０．５ｍであれば、湯量は２５０００Ｌである。
【００２１】
図１に示すとおり、排水器具１０は、浴槽３０の底面３０ａの下に設置される。浴槽３０は、底面３０ａの下に形成される保護コンクリート層５１と、保護コンクリート層５１の下に形成される防水層５２とを備える。保護コンクリート層５１の表面に必要に応じてタイルなどが配置される。防水層５２は例えばアスファルトからなり、防水層５２よりも下方に位置する構造スラブ５５に水が至ることを防止する。
【００２２】
図１に示すとおり、排水器具１０は、防水層５２上に溜まった水を抜く水抜き穴（流路）１ａと、水抜き穴１ａからの排水を止水する栓（止水栓）５とを備える。水抜き穴１ａは、保護コンクリート層５１と防水層５２とを貫通するように配置される円筒部材（筒状部材・排水路）１に形成されている。栓５によって円筒部材１を止水状態としたとき、栓５の上面から円筒部材１の上端部１ｂまでの長さは、およそ保護コンクリート層５１と防水層５２の厚さの合計に相当する。この長さの下限値は例えば１２ｃｍ程度である。
【００２３】
水抜き穴１ａの個数は効率的に水を排出する観点から、円筒部材１の周方向に複数の水抜き穴１ａを設けることが好ましい。水抜き穴１ａは、防水層５２の上面５２ａと同じ高さ又は防水層５２の上面５２ａよりも低い位置に設けられている。この位置に水抜き穴１ａを設けることで、防水層５２上に溜まった水の略全量又は全量を水抜き穴１ａを通じて排出できる。保護コンクリート層５１に浸入した水（防水層５２の上面５２ａで止水された水）は、主に防水層５２の上面５２ａ、鍔部１ｄの上面及び水抜き穴１ａを経て円筒部材１内に至る。なお、鍔部１ｄの上面全体が防水層５２で覆われている場合、保護コンクリート層５１に浸入した水は、主に上面５２ａ及び水抜き穴１ａを経て円筒部材１内に至る。
【００２４】
円筒部材１は、その外面１ｃから遠ざかるにしたがって上方に延びる鍔部１ｄを有する。円筒部材１における鍔部１ｄが設けられた位置の直上に水抜き穴１ａを設けられている（図１参照）。これにより、防水層５２上に溜まった水（保護コンクリート層５１に侵入した水）を水抜き穴１ａを通じて効率的に排出できる。防水層５２は鍔部１ｄの外周側を覆うように設けられ、防水層５２上の水が鍔部１ｄを通じて水抜き穴１ａに導入される。なお、円筒部材１は一つの部材からなるものであってもよく、複数のパーツを組み合わせてなるものであってもよい。また、円筒部材１は、その内部を栓５が上下方向に移動しやすいように内面に図示しないガイド機構（例えば溝など）を有してもよい。
【００２５】
栓５は、円筒部材１内であって水抜き穴１ａよりも下に配置される。つまり、図１に示すように、栓５は円筒部材１の途中であって下端部側に位置するテーパ部１ｅに配置される。水抜き穴１ａよりも下に栓５を設けたことで、栓５で円筒部材１を閉塞した状態（止水状態）にあっては水抜き穴１ａから水が抜けることによる浴槽３０内の水位低下を防止できる。一方、栓５を外すこと（止水状態の解除）によって、浴槽３０内の水と、防水層５２上に溜まった水とが排出される。これにより、浴槽３０内の水を排出する都度、防水層５２上に溜まった水を排出できる。
【００２６】
図１に示す栓５は、内側の栓５ａと外側の環状の栓５ｂとからなる二重栓である。二重栓は呼び径が５０ｍｍ以上の排水管に広く使用されている。浴槽３０のサイズ及び円筒部材１の内径の大きさによっては、栓５は二重栓でなくてもよい。なお、栓５は例えば金物の栓であってもよいし、ゴム栓であってもよい。
【００２７】
円筒部材１の上端部１ｂ側には必要に応じて目皿（化粧金物）６が配置される。円筒部材１の上端部１ｂに目皿６を配置することで、浴槽３０内において人の足が円筒部材１の開口に入ることを防止できる。円筒部材１の下端部１ｆ側には管１５が接続されており、円筒部材１及び管１５を通じて水が排出される。
【００２８】
図１に示す鎖８は、栓５を引き抜くことができるようにするためのものである。すなわち、鎖８の先端部が栓５の上面に連結されている。更に、鎖８の途中に目皿６が連結されており、鎖８を引っ張ることによって目皿６及び栓５の両方を外すことができるようになっている。なお、栓５と目皿６とを連結する鎖８は、止水状態における栓５と目皿６との距離よりも長く、図１に示すように円筒部材１内において弛んでいる。これにより、止水状態を解除するときには、浴槽３０内の鎖８を引っ張って目皿６を外し、その勢いを利用して栓５も外すことができる。他方、止水状態とするときには、まず、栓５を円筒部材１の下端部１ｆに確実に配置した後、目皿６を円筒部材１の上端部１ｂに配置できる。
【００２９】
本実施形態に係る排水器具１０は浴槽３０の底面３０ａ下における死水の発生を十分に抑制できて衛生的である。また、排水器具１０によれば栓５をしているときに浴槽３０内の水位が下がることを防止できる。
【００３０】
＜施工方法＞
図２に示す浴槽３０は以下の工程を経て施工される。まず、構造スラブ５５用の型枠を構築し、型枠内に鉄筋を配置するとともに排水器具１０を仮固定する。型枠にコンクリートを打設することによって構造スラブ５５を構築する。その後、構造スラブ５５の表面にアスファルト等によって防水層５２を形成する。防水層５２の上に保護コンクリート層５１を打設した後、保護コンクリート層５１の表面にタイルや小石などによって装飾することによって浴槽３０が構築される。保護コンクリート層５１は必ずしも均一の厚さでなくてもよく、図２に示すように、浴槽３０内における段３０ｂを保護コンクリート層５１によって形成してもよい。
【００３１】
以上、本発明の実施形態について詳細に説明したが、本発明は上記実施形態に限定されるものではない。例えば、上記実施形態においては、鎖８を引っ張ることによって目皿６及び栓５の両方を外す場合を例示したが、円筒部材１を通じて排水する際、スクリーンの役割を果たす目皿６が円筒部材１の上端部１ｂに配置されたままであった方がよいなら、鎖８の途中に目皿６を連結する代わりに、目皿６の貫通孔６ａに鎖８を通せばよい。この構成であれば、鎖８を引っ張ることで栓５のみを引き抜くことができる。
【００３２】
上記実施形態においては、円筒部材１の上端部１ｂを目皿６によって覆う場合を例示したが、目皿６の代わりに他の化粧金物を使用してもよい。
【００３３】
上記実施形態においては、図１に示すように筒状部材として栓５の外径よりも一回り大きい内径を有する円筒部材１を例示したが、円筒部材１の内径は栓５の外径よりも十分に大きくてもよい。栓５の外径をＲとすると、円筒部材１の内径は、例えば１．５Ｒ〜６Ｒであってもよく、２Ｒ〜５Ｒであってもよい。かかる構成を採用することで、円筒部材１の下端部１ｆ側を清掃しやすい、栓５を人の手で直接操作しやすいなどの利点がある。なお、筒状部材は円筒状の部材に限定されず、その流路断面は例えば正方形（又は略正方形）であってもよい。栓５の外径をＲとすると、上記正方形の一辺は、例えば２Ｒ〜６Ｒであってもよく、２．５Ｒ〜５Ｒであってもよい。
【００３４】
上記実施形態においては、排水器具１０を使用して排水構造を構築する場合を例示したが、排水器具１０の代わりに、より簡略化された排水器具を使用して排水構造を構築してもよい。例えば、鍔部１ｄよりも上方の筒状部を具備しない排水器具を使用してもよい。すなわち、目皿６を配置する箇所（排水路の上端部）と、鍔部１ｄまでの排水路とを例えばコンクリートで形成すればよい。この場合、防水層５２で止水された水は、上面５２ａ及び鍔部１ｄの上面を経て排水路に至る。言い換えれば、防水層５２で止水された水は、防水層５２上の流路（主に保護コンクリート層５１と防水層５２及び鍔部１ｄとの境界部）を通じて水抜き部（排水路の内面に水が染み出てくる部分、つまり流路末端）へと至る。なお、鍔部１ｄの上面全体が防水層５２で覆われている場合にあっては、主に保護コンクリート層５１と防水層５２との境界部に流路が形成される。
【００３５】
上記実施形態においては、浴槽３０の底面３０ａ下に位置する栓５の止水状態を解除することによって、浴槽３０内の水と、防水層５２上に溜まった水との両方が排出される構成を例示したが、栓の止水状態を解除することによって、防水層５２上に溜まった水のみが排出される構成を採用してもよい。例えば、図２に示す壁３０ｃ側に位置する段３０ｄ（上面が水面よりも上に位置する段）の上面から構造スラブ５５の下面まで至る排水路（不図示）を設け、この排水路の途中であって防水層５２と同じ高さ又は防水層５２よりも低い位置に栓（不図示）を配置すればよい。この栓の止水状態を解除することで、防水層５２上に溜まった水のみを排出できる。保護コンクリート層５１に浸入した水（防水層５２の上面５２ａで止水された水）の排出と止水とを栓５によって実施できる限り、栓５の位置は浴槽３０の底面３０ａ下に限定されず、平面視で浴槽３０の側方にずれた位置であってもよい。
【符号の説明】
【００３６】
１…円筒部材（筒状部材・排水路）、１ａ…水抜き穴（流路）、１ｂ…上端部、１ｃ…外面、１ｄ…鍔部、１ｅ…テーパ部、１ｆ…下端部、５…栓（止水栓）、６…目皿（化粧金物）、６ａ…貫通孔、８…鎖、１０…排水器具、３０…浴槽、３０ａ…底面、３０ｂ，３０ｄ…段、３０ｃ…壁、５１…保護コンクリート層、５２…防水層、５２ａ…上面、５５…構造スラブ。
【図１】
0006388825.tif 000002
【図２】
0006388825.tif 000003